【手続補正書】
【提出日】平成27年3月27日(2015.3.27)
【手続補正１】
【補正対象書類名】特許請求の範囲
【補正対象項目名】全文
【補正方法】変更
【補正の内容】
【特許請求の範囲】
【請求項１】
複数の画像のうち選択された選択画像を表示部に表示する表示処理と、
前記選択画像が前記表示部に表示されている状態でユーザが入力した第１入力を取得する取得処理と、
前記選択画像上の前記第１入力の位置に基づく認証情報と前記選択画像とを記憶部に記憶する記憶処理と、
をコンピュータに実行させるプログラム。
【請求項２】
請求項１に記載のプログラムにおいて、
前記表示処理は、前記選択画像を前記表示部に表示し、
前記選択画像が前記表示部に表示されている状態でユーザが入力した第２入力と前記認証情報とに基づいて前記ユーザを認証する認証処理をコンピュータに実行させるプログラム。
【請求項３】
請求項２に記載のプログラムにおいて、
前記記憶処理は、前記認証情報と前記選択画像とを関連付けて前記記憶部に記憶するプログラム。
【請求項４】
請求項２または３に記載のプログラムにおいて、
前記第１入力又は前記第２入力は、ユーザが前記表示部に接触し、前記接触している位置を移動して入力されるプログラム。
【請求項５】
請求項４に記載のプログラムにおいて、
前記第１入力又は前記第２入力は、ユーザが前記表示部と接触を開始した位置を第１位置とし、前記ユーザが前記表示部に前記接触した状態で前記接触している位置を変更した後、前記接触を終了した位置を第２位置とし、前記第１位置から前記第２位置までの移動に基づいて入力されるプログラム。
【請求項６】
請求項５に記載のプログラムにおいて、
前記表示処理は、前記第１位置から前記第２位置までの前記接触している位置の移動に基づく軌跡を前記選択画像に重畳して前記表示部に表示するプログラム。
【請求項７】
請求項５に記載のプログラムにおいて、
前記表示処理は、前記第１位置から前記第２位置までの移動に基づく線を前記選択画像に重畳して前記表示部に表示するプログラム。
【請求項８】
請求項７に記載のプログラムにおいて、
前記表示処理は、前記第１入力が入力された後、ユーザが前記表示部に接触すると前記線を前記表示部に表示しないプログラム。
【請求項９】
請求項７に記載のプログラムにおいて、
前記表示処理は、前記第２入力が入力されている間、前記線を前記表示部に表示しないプログラム。
【請求項１０】
請求項７に記載のプログラムにおいて、
前記表示処理は、前記第１入力又は前記第２入力が入力された後、前記線を前記選択画像に重畳して前記表示部に表示するプログラム。
【請求項１１】
請求項２〜１０のいずれか一項に記載のプログラムにおいて、
前記表示処理は、前記複数の画像をサムネイルで前記表示部に表示するプログラム。
【請求項１２】
請求項２〜１０のいずれか一項に記載のプログラムにおいて、
前記表示処理は、前記複数の画像のうち前記表示部に表示する画像を切り替えて表示するプログラム。
【請求項１３】
請求項２〜１２のいずれか一項に記載のプログラムにおいて、
前記表示処理は、ユーザの認証を行う度に前記複数の画像の順序を異ならせて前記表示部に表示するプログラム。
【請求項１４】
請求項２〜１３のいずれか一項に記載のプログラムにおいて、
前記記憶処理は、前記選択画像と複数の前記認証情報とを関連付けて前記記憶部に記憶するプログラム。
【請求項１５】
請求項１４に記載のプログラムにおいて、
複数の前記認証情報は、第１機能に関連付いている第１認証情報と第２機能に関連付いている第２認証情報とを少なくとも含み、
前記認証処理は、前記第２入力と前記第１認証情報とが一致すると判定する場合、ユーザによる前記第１機能の利用を認証し、前記第２入力と前記第２認証情報とが一致すると判定する場合、前記ユーザによる前記第２機能の利用を認証するプログラム。
【請求項１６】
請求項２〜１５のいずれか一項に記載のプログラムにおいて、
前記認証処理は、前記複数の画像のうちユーザが選択した前記選択画像と前記第２入力と前記認証情報とに基づいて前記ユーザを認証するプログラム。
【請求項１７】
請求項２〜１６のいずれか一項に記載のプログラムにおいて、
前記認証処理は、前記第２入力が入力された後、ユーザを認証するプログラム。
【請求項１８】
請求項２〜１７のいずれか一項に記載のプログラムにおいて、
前記複数の画像は、撮像部によって撮像された撮像画像であるプログラム。
【請求項１９】
請求項２〜１８のいずれか一項に記載のプログラムにおいて、
前記認証処理は、ユーザを認証し、前記ユーザの装置の利用を許可するプログラム。
【請求項２０】
請求項１〜１９のいずれか一項に記載のプログラムを備える電子機器。
【請求項２１】
複数の画像のうち選択された選択画像を表示部に表示する表示処理と、
前記表示部に表示された前記選択画像中のユーザが指示した位置に基づく情報と前記選択画像とを記憶部に記憶する記憶処理と、
をコンピュータに実行させるプログラム。
【請求項２２】
請求項２１に記載のプログラムにおいて、
前記ユーザが指示した位置は、前記選択画像が前記表示部に表示されている状態で前記ユーザが指示した位置であるプログラム。
【請求項２３】
請求項２１または２２に記載のプログラムにおいて、
前記ユーザが指示した位置は、前記選択画像中の連続した位置を含むプログラム。
【請求項２４】
請求項２１〜２３のいずれか一項に記載のプログラムにおいて、
前記ユーザが指示した位置に基づく情報は、前記ユーザを認証するための認証情報であるプログラム。
【請求項２５】
請求項２４に記載のプログラムにおいて、
前記表示処理は、前記選択画像を前記表示部に表示し、
前記表示部に表示された前記選択画像中のユーザが指示した位置と前記認証情報とに基づいて前記ユーザを認証する認証処理をコンピュータに実行させるプログラム。
【請求項２６】
請求項２４または２５に記載のプログラムにおいて、
前記記憶処理は、前記認証情報と前記選択画像とを関連付けて前記記憶部に記憶するプログラム。
【請求項２７】
複数の画像のうち選択された選択画像を表示部に表示させ、前記選択画像が前記表示部に表示されている状態でユーザが入力した第１入力の前記選択画像上の位置に基づく認証情報と前記選択画像とを記憶部に記憶させる制御部を備える認証装置。
【請求項２８】
請求項２７に記載の認証装置において、
前記制御部は、前記選択画像を前記表示部に表示させ、前記選択画像が前記表示部に表示されている状態でユーザが入力した第２入力と前記認証情報とに基づいて前記ユーザを認証部に認証させる認証装置。
【請求項２９】
請求項２８に記載の認証装置において、
前記制御部は、前記認証情報と前記選択画像とを関連付けて前記記憶部に記憶させる認証装置。
【請求項３０】
請求項２８または２９に記載の認証装置において、
前記第１入力又は前記第２入力は、前記ユーザが前記表示部に接触し、前記接触している位置を移動して入力される認証装置。
【請求項３１】
請求項３０に記載の認証装置において、
前記第１入力又は前記第２入力は、前記ユーザが前記表示部と接触を開始した位置を第１位置とし、前記ユーザが前記表示部に前記接触した状態で前記接触している位置を変更した後、前記接触を終了した位置を第２位置とし、前記第１位置から前記第２位置までの移動に基づいて入力される認証装置。
【請求項３２】
請求項３１に記載の認証装置において、
前記制御部は、前記第１位置から前記第２位置までの前記接触している位置の移動に基づく軌跡を前記選択画像に重畳して前記表示部に表示させる認証装置。
【請求項３３】
請求項３１に記載の認証装置において、
前記制御部は、前記第１位置から前記第２位置までの移動に基づく線を前記選択画像に重畳して前記表示部に表示させる認証装置。
【請求項３４】
請求項３３に記載の認証装置において、
前記制御部は、前記第１入力が入力された後、前記ユーザが前記表示部に接触すると前記線を前記表示部に表示させない認証装置。
【請求項３５】
請求項３３に記載の認証装置において、
前記制御部は、前記第２入力が入力されている間、前記線を前記表示部に表示させない認証装置。
【請求項３６】
請求項３３に記載の認証装置において、
前記制御部は、前記第１入力又は前記第２入力が入力された後、前記線を前記選択画像に重畳して前記表示部に表示させる認証装置。
【請求項３７】
請求項２８〜３６のいずれか一項に記載の認証装置において、
前記制御部は、前記複数の画像をサムネイルで前記表示部に表示させる認証装置。
【請求項３８】
請求項２８〜３６のいずれか一項に記載の認証装置において、
前記制御部は、前記複数の画像のうち前記表示部に表示する画像を切り替えて表示する認証装置。
【請求項３９】
請求項２８〜３８のいずれか一項に記載の認証装置において、
前記制御部は、前記ユーザの認証を行う度に前記複数の画像の順序を異ならせて前記表示部に表示する認証装置。
【請求項４０】
請求項２８〜３９のいずれか一項に記載の認証装置において、
前記制御部は、前記選択画像と複数の前記認証情報とを関連付けて前記記憶部に記憶させる認証装置。
【請求項４１】
請求項４０に記載の認証装置において、
複数の前記認証情報は、第１機能に関連付いている第１認証情報と第２機能に関連付いている第２認証情報とを少なくとも含み、
前記制御部は、前記第２入力と前記第１認証情報とが一致すると判定する場合、前記ユーザによる前記第１機能の利用を前記認証部に認証させ、前記第２入力と前記第２認証情報とが一致すると判定する場合、前記ユーザによる前記第２機能の利用を前記認証部に認証させる認証装置。
【請求項４２】
請求項２８〜４１のいずれか一項に記載の認証装置において、
前記制御部は、前記複数の画像のうち前記ユーザが選択した前記選択画像と前記第２入力と前記認証情報とに基づいて前記ユーザを前記認証部に認証させる認証装置。
【請求項４３】
請求項２８〜４２のいずれか一項に記載の認証装置において、
前記制御部は、前記第２入力が入力された後、前記ユーザを前記認証部に認証させる認証装置。
【請求項４４】
請求項２８〜４３のいずれか一項に記載の認証装置において、
前記複数の画像は、撮像部によって撮像された撮像画像である認証装置。
【請求項４５】
請求項２８〜４４のいずれか一項に記載の認証装置において、
前記制御部は、前記認証部に前記ユーザを認証させ、前記ユーザの装置の利用を許可する認証装置。
【請求項４６】
請求項２７〜４５のいずれか一項に記載の認証装置を備える電子機器。
【請求項４７】
複数の画像のうち選択された選択画像を表示部に表示させ、前記表示部に表示された前記選択画像中のユーザが指示した位置に基づく情報と前記選択画像とを記憶部に記憶させる制御部を備える電子機器。
【請求項４８】
請求項４７に記載の電子機器において、
前記ユーザが指示した位置は、前記選択画像が前記表示部に表示されている状態で前記ユーザが指示した位置である電子機器。
【請求項４９】
請求項４７または４８に記載の電子機器において、
前記ユーザが指示した位置は、前記選択画像中の連続した位置を含む電子機器。
【請求項５０】
請求項４７〜４９のいずれか一項に記載の電子機器において、
前記ユーザが指示した位置に基づく情報は、前記ユーザを認証するための認証情報である電子機器。
【請求項５１】
請求項５０に記載の電子機器において、
前記制御部は、前記選択画像を前記表示部に表示させ、前記表示部に表示された前記選択画像中のユーザが指示した位置と前記認証情報とに基づいて前記ユーザを認証部に認証させる電子機器。
【請求項５２】
請求項５０または５１に記載の電子機器において、
前記制御部は、前記認証情報と前記選択画像とを関連付けて前記記憶部に記憶させる電子機器。
【手続補正２】
【補正対象書類名】明細書
【補正対象項目名】発明の名称
【補正方法】変更
【補正の内容】
【発明の名称】プログラム、電子機器および認証装置
【手続補正３】
【補正対象書類名】明細書
【補正対象項目名】０００５
【補正方法】変更
【補正の内容】
【０００５】
請求項１に記載のプログラムは、複数の画像のうち選択された選択画像を表示部に表示する表示処理と、前記選択画像が前記表示部に表示されている状態でユーザが入力した第１入力を取得する取得処理と、前記選択画像上の前記第１入力の位置に基づく認証情報と前記選択画像とを記憶部に記憶する記憶処理と、をコンピュータに実行させる。
請求項２０に記載の電子機器は、請求項１〜１９のいずれか一項に記載のプログラムを備える。
請求項２１に記載のプログラムは、複数の画像のうち選択された選択画像を表示部に表示する表示処理と、前記表示部に表示された前記選択画像中のユーザが指示した位置に基づく情報と前記選択画像とを記憶部に記憶する記憶処理と、をコンピュータに実行させる。
請求項２７に記載の認証装置は、複数の画像のうち選択された選択画像を表示部に表示させ、前記選択画像が前記表示部に表示されている状態でユーザが入力した第１入力の前記選択画像上の位置に基づく認証情報と前記選択画像とを記憶部に記憶させる制御部を備える。
請求項４６に記載の電子機器は、請求項２７〜４５のいずれか一項に記載の認証装置を備える。
請求項４７に記載の電子機器は、複数の画像のうち選択された選択画像を表示部に表示させ、前記表示部に表示された前記選択画像中のユーザが指示した位置に基づく情報と前記選択画像とを記憶部に記憶させる制御部を備える。